(57)【特許請求の範囲】
【請求項１】
画像記録装置と画像再生装置とを別体にして備えた画像記録再生装置であって、
前記画像記録装置は、
画像を撮影する撮影手段と、
この撮影手段による画像撮影時の位置を検出する位置検出手段と、
前記撮影手段により撮影した画像情報と共に前記位置検出手段により検出した当該画像撮影時の位置情報を対応付けて記憶する情報記憶手段とを具備し、
前記画像再生装置は、
前記画像記録装置の情報記憶手段に記憶した情報を読み出す情報読み出し手段と、
地図情報を記憶した地図情報記憶手段と、
この地図情報記憶手段に記憶された地図情報と共に、当該地図上に前記情報読み出し手段により前記画像記録装置の情報記憶手段から読み出された位置情報に対応する座標のマークを表示する地図表示手段と、
この地図表示手段により表示された地図上のマークを指示するマーク指示手段と、
このマーク指示手段により指示されたマークの位置情報に対応付けられて前記画像記録装置の情報記憶手段に記憶されている画像情報を前記情報読み出し手段により読み出して表示する画像表示手段とを具備し、
前記画像再生装置の地図表示手段は、
前記地図情報記憶手段に記憶された地図情報と共に、当該地図上に前記情報読み出し手段により前記画像記録装置の情報記憶手段から読み出された位置情報に対応する座標のマークを表示する際に、複数の近接する位置情報が読み出された場合には、当該近接する位置情報に対応する座標のマークはその位置情報の数に応じた大きさのマークとして表示するマーク表示手段を備えたことを特徴とする画像記録再生装置。
【請求項２】
画像記録装置と画像再生装置とを別体にして備えた画像記録再生装置であって、
再生専用領域と書き換え可能領域とを有し、該再生専用領域に地図情報が記憶された可般型記憶媒体と、
前記画像記録装置は、
画像を撮影する撮影手段と、
この撮影手段による画像撮影時の位置を検出する位置検出手段と、
前記撮影手段により撮影した画像情報と共に前記位置検出手段により検出した当該画像撮影時の位置情報を対応付けて前記可般型記憶媒体の書き換え可能領域に格納する情報格納手段とを具備し、
前記画像再生装置は、
前記可般型記憶媒体に記憶した情報を読み出す情報読み出し手段と、
この情報読み出し手段により前記可般型記憶媒体の再生専用領域から読み出された地図情報を表示すると共に、当該地図上に前記情報読み出し手段により前記可般型記憶媒体の書き換え可能領域から読み出された位置情報に対応する座標のマークを表示する地図表示手段と、
この地図表示手段により表示された地図上のマークを指示するマーク指示手段と、
このマーク指示手段により指示されたマークの位置情報に対応付けられて前記可般型記憶媒体の書き換え可能領域に記憶されている画像情報を前記情報読み出し手段により読み出して表示する画像表示手段とを具備し、
前記画像再生装置の地図表示手段は、
前記可般型記憶媒体の再生専用領域に記憶された地図情報と共に、当該地図上に前記情報読み出し手段により前記可般型記憶媒体の書き換え可能領域から読み出された位置情報に対応する座標のマークを表示する際に、複数の近接する位置情報が読み出された場合には、当該近接する位置情報に対応する座標のマークはその位置情報の数に応じた大きさのマークとして表示するマーク表示手段を備えたことを特徴とする画像記録再生装置。
【請求項３】
外部の情報記憶手段に記憶されている画像撮影時の位置情報が対応付けられた画像情報を読み出す情報読み出し手段と、
地図情報を記憶した地図情報記憶手段と、
この地図情報記憶手段に記憶された地図情報と共に、当該地図上に前記情報読み出し手段により前記情報記憶手段から読み出された位置情報に対応する座標のマークを表示する地図表示手段と、
この地図表示手段により表示された地図上のマークを指示するマーク指示手段と、
このマーク指示手段により指示されたマークの位置情報に対応付けられて前記情報記憶手段に記憶されている画像情報を前記情報読み出し手段により読み出して表示する画像表示手段とを具備し、
前記地図表示手段は、
前記地図情報記憶手段に記憶された地図情報と共に、当該地図上に前記情報読み出し手段により前記情報記憶手段から読み出された位置情報に対応する座標のマークを表示する際に、複数の近接する位置情報が読み出された場合には、当該近接する位置情報に対応する座標のマークはその位置情報の数に応じた大きさのマークとして表示するマーク表示手段を備えたことを特徴とする画像再生装置。
【発明の詳細な説明】
【０００１】
【発明の属する技術分野】
本発明は、例えば撮像素子を用いて撮影した画像をディジタルデータとして記録する電子スチルカメラ等の画像記録装置とこの画像記録装置により記録した画像データを読み出して表示する画像再生装置とからなる画像記録再生装置、画像再生装置に関する。
【０００２】
【従来の技術】
図１２は従来の電子スチルカメラシステムの構成を示すブロック図である。
電子スチルカメラ１では、システムコントローラ２の制御の下、以下の動作が行なわれる。
【０００３】
まず、レンズ３によって結像された被写体像はＣＣＤに代表される固体撮像素子４において光電変換される。
そして、固体撮像素子４により光電変換された画像信号は、信号処理部５を介して増幅及びＡ／Ｄ変換され、さらに、必要に応じてＪＰＥＧ等の圧縮方式を採用した圧縮処理部６でデータ圧縮され、ディジタル画像データとして得られる。
【０００４】
このディジタル画像データは、一旦データバッファ部７に記録され、記録再生回路８により半導体メモリ等の情報記録媒体９に記録される。
また、撮影した画像を見る際には、前記情報記録媒体９から読み出された画像データがデータバッファ部７に転送され、前記圧縮処理部６で行なった圧縮方式に従った復号処理が復号処理部１０により行なわれる。そして、前記復号処理の施された画像データは、表示制御部１１でＤ／Ａ変換され、ＴＶモニター等の表示装置１２に出力されて静止画像として表示される。
【０００５】
この表示装置１２における画像データの表示機能としては、画像を一枚一枚、順次表示させるだけでなく、画面を複数に分割して複数の画像を表示させたり、画像の一部をクローズアップさせたりする機能を持つものもある。
【０００６】
また、パーソナルコンピュータと電子スチルカメラ１をディジタル入出力端子を介して接続し、前記情報記録媒体９に記録したディジタル画像データを直接パーソナルコンピュータに転送したり、ディジタル画像データを記録したフラッシュメモリ等の情報記録媒体を再生することができる情報再生装置を、パーソナルコンピュータに接続し、その情報再生装置からパーソナルコンピュータに画像データを転送する方式もある。
これらの場合、パソコン上のアプリケーションソフト次第で、より詳細に編集・加工・保存することが可能となる。
【０００７】
【発明が解決しようとする課題】
しかしながら、前記ような従来の電子スチルカメラでは、情報記録媒体９に記録される画像データには撮影した画像情報だけ、あるいは撮影した画像情報及び撮影した時刻情報程度しか含まれていないため、ユーザが画像を選択して表示させたい場合に、手掛かりとなるインデックス情報が撮影した時刻情報程度しかなかった。
【０００８】
従って、例えば撮影した画像を分類する場合には、撮影した時刻別の分類は比較的容易に行うことができるが、撮影した場所毎に分類するためには、ユーザが全ての画像を順次表示させ、その画像を確認し、場所のインデックス情報を各画像データに追加していく手間が必要であった。
【０００９】
すなわち、撮影した画像データをパーソナルコンピュータ等に転送し、ユーザが画像を確認しながら撮影した場所等のデータを入力する必要があった。特に、同時刻に複数の電子スチルカメラで、別の場所で撮影した各画像データを撮影場所毎に区別するには、全ての画像を確認しなくてはその違いを判別することはできなかった。
【００１０】
実際、写真に付するコメントとして時刻と同様に撮影した場所の情報は重要である。
このような問題を克服するために、撮影位置に関する情報を簡便に得ることができるシステムとして、特開平５ー１１０９７２号に開示された、電子スチルカメラ及び画像再生装置が提案されている。
【００１１】
図１３は特開平５ー１１０９７２号に開示された電子スチルカメラ及び画像再生装置の基本構成を示すブロック図である。
この電子スチルカメラは、ＧＰＳ(Global Positioning System) アンテナ及びＧＰＳ受信回路に代表される測位装置を備え、撮影位置の情報をコード化して画像信号と共に記録媒体に記録するものである。
【００１２】
一方、この電子スチルカメラで撮影した画像を再生するのに好適な画像再生装置も、図１３に示すような構成で表わされている。
図１３における再生手段は、記録媒体に電気画像信号と共に記録された撮影位置情報に対応するコード信号を再生する。
【００１３】
また、位置情報記憶手段は、前記コード信号に対応する撮影位置に関連する情報を予め記憶しており、位置情報出力手段は、再生されたコード信号に基づいて前記位置情報記憶手段から対応する撮影位置に関連する情報を読み出して出力するものである。
【００１４】
しかし、前記図１３における電子スチルカメラ及び画像再生装置では、画像を撮影した位置に関して、詳しい情報を得ることで、撮影した画像がどこで撮影されたものかわからなくなるといった問題は解決されることになるが、画像を撮影位置により分類し、検索することができないため、ユーザにとっての利便性に欠けている。
【００１５】
また、撮影画像の撮影位置についての分類・管理を容易に行なうため方法として、特開平５−２０７４０８号に開示された電子スチルカメラが提案されている。
【００１６】
図１４は特開平５−２０７４０８号に開示された電子スチルカメラの基本構成を示すブロック図である。
この場合の電子スチルカメラも、前記特開平５−１１０９７２号の電子スチルカメラと同じく測位装置を備え、撮影位置情報を画像情報と共にメモリカードに記録するものである。
【００１７】
この図１４における電子スチルカメラは画像再生装置を兼ねており、画像表示部及びその周辺部は図１５に示すような構成となっている。
図１５は特開平５−２０７４０８号に開示された電子スチルカメラの表示回路及びその周辺部の構成を示すブロック図である。
【００１８】
画像を検索する際には、表示部に地図が表示され、メモリカードに記録されている画像のもつ位置データの座標にマークが表示される。ユーザはトラックボールによって操作される表示画面上のカーソルでマークを指示し、この指示されたマークの位置データに対応する画像データを表示部に表示させるものである。
【００１９】
しかし、前記図１４及び図１５にて示した装置は、電子スチルカメラが画像再生装置を兼ねており、地図上の座標を指定するという比較的細かい操作を行なうに際し、カメラを小型化すると、操作性が損なわれることとなる。
【００２０】
また、反対に画像表示画面を大きくして座標指定をし易くすると、カメラ自体が大型かつ重くなってしまう。
また、この装置では、世界地図を含む地図データをカメラ内部のＲＯＭに持っている構造となっているため、内部メモリ（ＲＯＭ）の容量によって地図データの記憶量が制限され、小型化する場合に地図の詳細度に欠けることになる。
【００２１】
本発明は、前記のような課題に鑑みなされたもので、画像データの撮影・整理・検索を容易にし、使い勝手を格段に向上することが可能になる画像記録再生装置、画像再生装置を提供することを目的とする。
【００２２】
【課題を解決するための手段】
すなわち、本発明の請求項１に係わる画像記録再生装置は、画像記録装置と画像再生装置とを別体にして備えた画像記録再生装置であって、
前記画像記録装置は、画像を撮影する撮影手段と、この撮影手段による画像撮影時の位置を検出する位置検出手段と、前記撮影手段により撮影した画像情報と共に前記位置検出手段により検出した当該画像撮影時の位置情報を対応付けて記憶する情報記憶手段とを具備し、
前記画像再生装置は、前記画像記録装置の情報記憶手段に記憶した情報を読み出す情報読み出し手段と、地図情報を記憶した地図情報記憶手段と、この地図情報記憶手段に記憶された地図情報と共に、当該地図上に前記情報読み出し手段により前記画像記録装置の情報記憶手段から読み出された位置情報に対応する座標のマークを表示する地図表示手段と、この地図表示手段により表示された地図上のマークを指示するマーク指示手段と、このマーク指示手段により指示されたマークの位置情報に対応付けられて前記画像記録装置の情報記憶手段に記憶されている画像情報を前記情報読み出し手段により読み出して表示する画像表示手段とを具備し、
前記画像再生装置の地図表示手段は、前記地図情報記憶手段に記憶された地図情報と共に、当該地図上に前記情報読み出し手段により前記画像記録装置の情報記憶手段から読み出された位置情報に対応する座標のマークを表示する際に、複数の近接する位置情報が読み出された場合には、当該近接する位置情報に対応する座標のマークはその位置情報の数に応じた大きさのマークとして表示するマーク表示手段を備えたことを特徴とする。
【００２３】
つまり、請求項１に係わる画像記録再生装置では、画像記録装置を単体操作して撮影すると、撮影された画像情報にその撮影時の位置情報が対応付けられて情報記憶手段に記憶され、この後、画像再生装置において、地図情報記憶手段に記憶されている地図情報を表示させると、その地図上に前記情報記憶手段に各撮影画像情報毎に記憶されている位置情報に対応するマークが表示され、このマークを指示すると、指示されたマークの位置情報に対応付けられた画像情報が前記情報記憶手段から読み出されて表示されるので、小型な画像記録装置で容易に撮影操作できると共に、その後は画像再生装置により、希望の場所で撮影した画像情報を簡単に検索して表示できることになる。
しかも、画像再生装置の地図表示手段により、地図情報記憶手段に記憶された地図情報と共に、当該地図上に画像記録装置の情報記憶手段から読み出された位置情報に対応する座標のマークを表示させる際に、複数の近接する位置情報が読み出された場合には、当該近接する位置情報に対応する座標のマークをその位置情報の数に応じた大きさのマークとして表示させるので、そのマークの大きさからそのマーク位置にて撮影した画像情報の量が把握できることになる。
【００３０】
また、本発明の請求項２に係わる画像記録再生装置は、画像記録装置と画像再生装置とを別体にして備えた画像記録再生装置であって、
再生専用領域と書き換え可能領域とを有し、該再生専用領域に地図情報が記憶された可般型記憶媒体と、
前記画像記録装置は、画像を撮影する撮影手段と、この撮影手段による画像撮影時の位置を検出する位置検出手段と、前記撮影手段により撮影した画像情報と共に前記位置検出手段により検出した当該画像撮影時の位置情報を対応付けて前記可般型記憶媒体の書き換え可能領域に格納する情報格納手段とを具備し、
前記画像再生装置は、前記可般型記憶媒体に記憶した情報を読み出す情報読み出し手段と、この情報読み出し手段により前記可般型記憶媒体の再生専用領域から読み出された地図情報を表示すると共に、当該地図上に前記情報読み出し手段により前記可般型記憶媒体の書き換え可能領域から読み出された位置情報に対応する座標のマークを表示する地図表示手段と、この地図表示手段により表示された地図上のマークを指示するマーク指示手段と、このマーク指示手段により指示されたマークの位置情報に対応付けられて前記可般型記憶媒体の書き換え可能領域に記憶されている画像情報を前記情報読み出し手段により読み出して表示する画像表示手段とを具備し、
前記画像再生装置の地図表示手段は、前記可般型記憶媒体の再生専用領域に記憶された地図情報と共に、当該地図上に前記情報読み出し手段により前記可般型記憶媒体の書き換え可能領域から読み出された位置情報に対応する座標のマークを表示する際に、複数の近接する位置情報が読み出された場合には、当該近接する位置情報に対応する座標のマークはその位置情報の数に応じた大きさのマークとして表示するマーク表示手段を備えたたことを特徴とする。
【００３１】
つまり、請求項２に係わる画像記録再生装置では、画像記録装置を単体操作して撮影すると、撮影された画像情報にその撮影時の位置情報が対応付けられて可般型記憶媒体の書き換え可能領域に記憶され、この後、画像再生装置に前記可般型記憶媒体を装着してその再生専用領域に記憶されている地図情報を表示させると、その地図上に前記書き換え可能領域に各撮影画像情報毎に記憶されている位置情報に対応するマークが表示され、このマークを指示すると、指示されたマークの位置情報に対応付けられた画像情報が前記書き換え可能領域から読み出されて表示されるので、小型な画像記録装置で容易に撮影操作できると共に、その後は画像再生装置により、希望の場所で撮影した画像情報を簡単に検索して表示でき、しかも、前記可般型記憶媒体の再生専用領域に記憶される地図情報を狭い地域（例えば観光地単位）の詳細な地図とし、該地域毎に異なる可般型記憶媒体を用意すれば、当該可般型記憶媒体を撮影地域毎に分類したアルバムとすることができ、希望する場所で撮影した画像情報を容易に検索表示できることになる。
しかも、画像再生装置の地図表示手段により、可般型記憶媒体の再生専用領域に記憶された地図情報と共に、当該地図上に前記可般型記憶媒体の書き換え可能領域から読み出された位置情報に対応する座標のマークを表示させる際に、複数の近接する位置情報が読み出された場合には、当該近接する位置情報に対応する座標のマークをその位置情報の数に応じた大きさのマークとして表示させるので、そのマークの大きさからそのマーク位置にて撮影した画像情報の量が把握できることになる。
【００３４】
また、本発明に係わる画像記録再生装置は、測位機能及び地図データベースを備える代表的な民生機器であるカーナビゲーション装置を兼ねさせる構成とすることで、画像記録装置に測位装置を内蔵させる必要がなくなるだけでなく、少ないコストでこの画像記録再生装置を実現できることになる。
【００３５】
さらに、本発明に係わる画像記録再生装置は、測位機能及び地図データベースを備える代表的な民生機器であるカーナビゲーション装置を兼ねさせた場合に、カーナビゲーション装置本体としての画像再生装置が備える測位手段によって測定された位置情報を画像記録装置に伝送する手段と、伝送された位置情報を画像記録装置にて記憶保持するメモリとを備え、画像記録装置を画像再生装置から取り外して撮影する際には、取り外す直前に、前記画像再生装置の測位手段によって測定された位置情報を前記画像記録装置のメモリに伝送して記憶ホールドさせ、再び、該画像記録装置を画像再生装置に接続するまでは、前記ホールドした位置情報を撮影位置情報として撮影画像情報と共に情報記憶手段に記憶させる構成とすることで、画像記録装置に測位装置を内蔵させる必要がなく、小型な画像記録装置で容易に撮影操作でき、しかも所望の撮影場所での画像情報をナビゲーション装置本体としての画像再生装置にて表示される地図上のマークを指定して表示できることになる。
【００３６】
【発明の実施の形態】
以下図面により本発明の実施の形態について説明する。
（第１実施形態）
図１は本発明の第１実施形態に係わる画像記録再生装置の構成を示すブロック図である。
【００３７】
図２は本発明の第１実施形態に係わる画像記録再生装置に備えられるＧＰＳを搭載した電子スチルカメラの構成を示すブロック図である。
まず、図２に示すように、電子スチルカメラ２０では、システムコントローラ２１の制御の下、以下の動作が行なわれる。
【００３８】
シャッタ（図示せず）が押されると、被写体像がレンズ２２を介して固体撮像素子２３に投影される。
固体撮像素子２３では、光電変換が行なわれ、被写体の画像を現わす電気信号が発生される。
【００３９】
固体撮像素子２３により発生された画像信号は、信号処理部２４によりアナログ信号からディジタル信号に変換され、さらに、圧縮処理部２５により適当な画像圧縮が施されてデータ量が低減され、データバッファ部２６に一時蓄えられる。
【００４０】
一方、シャッタが押されたタイミングにおいてＧＰＳ受信回路２７から撮影時の位置情報、すなわち、緯度・経度・高度情報がデータバッファ部２６に送られる。
【００４１】
こうして、位置情報は、画像を撮影した日時情報等と共に、撮影した画像の付加情報として、画像データと一対となって、記録再生回路２９に送られ、情報記録媒体３０に記録される。
【００４２】
この情報記録媒体３０としては、半導体メモリや光ディスク、磁気ディスク等が使用される。
また、インターフェイス３１は、外部とデータを送受信するためのインターフェイスである。
【００４３】
図３は本発明の第１実施形態に係わる画像記録再生装置に備えられる電子スチルカメラ及び画像再生装置の外観構成を示す全体斜視図である。
電子スチルカメラ２０は、通信ケーブル４２を介して画像再生装置４３に画像データ及び付加情報を転送する。
【００４４】
なお、データの転送はケーブルに限らず無線伝送手段を用いて転送することもできる。
情報記録媒体としては光ディスク４４を用いた場合を示している。
【００４５】
前記電子スチルカメラ２０から画像再生装置４３に転送された画像データは、この光ディスク４４に記録される。
ユーザはコントローラ４５を用いて所望の画像を検索し、表示装置４６に表示させる。
【００４６】
次に、図１における画像記録再生装置の全体構成図について詳しく説明する。電子スチルカメラ２０によって撮影された画像の画像データ及び付加情報が、通信手段によってインターフェイス５１を介して画像再生装置４３に転送される。これらのデータは、コントロール回路５３を介して情報記録媒体（光ディスク等）４４に記録される。
【００４７】
地図データベース５５には、地方の町村レベルが認識できる地域地図から、最も広域で世界地図まで含む地図データが記録されており、デフォルトで設定された地図データ、あるいは、コントローラ４５を操作してユーザが選択した地図データが読み出され、一旦、地図用ＲＡＭ５７に記録される。
【００４８】
表示制御部５８は、前記地図用ＲＡＭ５７から地図データを読み出し、接続される表示装置４６の種類に応じて、ＲＧＢ信号及び変換部６０を通してＮＴＳＣ信号を発生させ、地図データを表示させる。
【００４９】
コントロール回路５３は、システムコントローラ６１からの指示により、表示装置４６に表示されている地図領域に含まれる位置情報を付加情報として持つ全ての画像を前記情報記録媒体４４より検索し、それらの付加情報を読み出してインデックス用ＲＡＭ６２に記録させる。
【００５０】
表示制御部５８は、インデックス用ＲＡＭ６２に記録された付加情報に含まれる位置情報を読み出し、前記表示装置４６に表示されている地図上の対応する座標にマークを表示させる。
【００５１】
コントローラ４５は、ユーザが操作することにより表示装置４６に表示されている地図上の座標を指定することができるようになっている。このコントローラ４５により指定された地図上の座標から一定の範囲にマークがある場合には、システムコントローラ６１は、マークに対応したインデックス用ＲＡＭ６２内の付加情報を読み出し、情報記録媒体４４に記録された該当する画像データのアドレス情報を得る。
【００５２】
これにより、コントロール回路５３は、このアドレス情報に基づき、情報記録媒体４４から画像データを読み出し、データバッファ部６３に一旦記録する。
これと共に、前記指定マークの位置情報に対応して情報記録媒体４４から読出された画像データは、電子スチルカメラ２０において施された画像圧縮に対応した復号処理を復号処理部６４において施され、Ｄ／Ａ変換部６５でアナログ信号に変換され、表示制御部５８を通してディスプレイに応じた信号に変換され、表示装置４６に表示される。
【００５３】
また、ユーザが、コントローラ４５により指定した地図上の位置からある所定の範囲内に、マークが複数ある場合には、インデックス用ＲＡＭ６２に記録された付加情報に基づき画像データの一覧を表示する。
【００５４】
次に、ユーザが画像データの一覧から所望の画像を選択することで、上に述べたのと同様のプロセスを経て画像を表示させる。
図４は前記画像記録再生装置における位置情報をキーとした画像検索処理の操作表示状態を示す図である。
【００５５】
すなわち、表示装置４６に表示された検索画面では、ユーザが指定した地域あるいはデフォルトで設定された地域（例えば日本全国）の地図が、地図データベース５５から読み出されて地図用ＲＡＭ５７に記憶され、表示制御部５８を介して表示される。
【００５６】
ここで、表示装置４６に表示された地図上の領域内で撮影された画像がある場合は、その位置にマーク７０が表示される。このとき、画面上で判別できないほど近接した複数の地点で画像が撮影されている場合には、ひとつのマーク７０で代表して表示し、なお且つマーク７０の大きさをその場所で撮影された画像の枚数に比例させて変化を持たせて表示することで、ユーザにその場所で撮影された画像の枚数がおおよそ分かるようにする。
【００５７】
また、各マーク７０の傍らには、その場所の代表的地名を表示させておくことで、一目で場所が分かるようにしておく。
ユーザは、マウス等のコントローラ４５によりカーソル７１をマークに合わせて指定することで、指定されたマーク７０の位置情報に対応付けられて情報記録媒体４４に記録されている画像データが読み出され、目的の画像として表示される。
【００５８】
ここで、指定されたマーク７０に含まれる画像が複数ある場合には、該マーク７０の傍らに表示された地名よりも詳細な撮影住所及び撮影時刻等の一覧を表示させ、ユーザはこの撮影位置一覧表示の中から目的の画像を選択することで、当該撮影位置情報に対応付けられた画像データを読み出して表示させる。
【００５９】
したがって、前記第１実施形態の画像記録再生装置によれば、電子スチルカメラ２０を単体操作して撮影すると、撮影された画像にその撮影時の位置情報が対応付けられて情報記録媒体３０に記憶され、この後、画像再生装置４３に接続して前記電子スチルカメラ２０の情報記録媒体３０に記録された各画像及びその位置情報を情報記録媒体（光ディスク等）４４に転送して記憶させ、地図データベース５５に記憶されている地図データを表示装置４６表示させると、その地図上に前記情報記録媒体４４に各撮影画像毎に記憶されている位置情報に対応するマーク７０が表示され、このマーク７０を指示すると、指示されたマーク７０の位置情報に対応付けられた画像が前記情報記録媒体４４から読み出されて表示されるので、小型な電子スチルカメラ２０で容易に撮影操作できると共に、その後は画像再生装置４３により、希望の場所で撮影した画像を簡単に検索して表示できるようになる。
【００６０】
（第２実施形態）
図５は本発明の第２実施形態に係わる画像記録再生装置の構成を示すブロック図である。
【００６１】
この第２実施形態の画像記録再生装置における画像再生装置８０においては、情報記録媒体８１として可搬性を有する記録媒体、すなわち光ディスクや半導体メモリカード等を使用し、電子スチルカメラ８２における情報記録媒体と画像再生装置８０における情報記録媒体とを共通の記録媒体にして、通信手段（４２，５１）によるデータ転送を不要にしている。
【００６２】
したがって、前記第２実施形態の画像記録再生装置によれば、電子スチルカメラ８２にて撮影した画像と当該撮影時の位置情報とが、光ディスクや半導体メモリカード等を用いてなる可搬性を有する情報記憶媒体８１に記憶され、この情報記憶媒体８１が画像再生装置８０に装着されて、地図データの表示に伴なう位置情報の読み出しと対応マーク７０の表示、及び表示マーク７０の指示に伴なう位置情報に対応する画像の読み出し表示が行なわれるので、電子スチルカメラ８２と画像再生装置８０とで前記可搬性を有する情報記憶媒体８１が共通使用され、装置相互間のインターフェイス接続を不要にすることができる。
【００６３】
（第３実施形態）
図６は本発明の第３実施形態に係わる画像記録再生装置の構成を示すブロック図である。
【００６４】
この第３実施形態の画像記録再生装置における画像再生装置９１において、情報記録媒体９０は、同一ディスク上に再生専用領域と書き換え可能領域とを有する光ディスクであり、通常パーシャルＲＯＭディスクと呼ばれるものである。
【００６５】
パーシャルＲＯＭディスク９０の再生専用領域は、コンパクトディスクと同じく、通常、ピットと呼ばれる凹凸により情報がディジタルデータとして予め記録されている。この場合、上述した地図データベース５５（図１，図５参照）に記憶されている世界地図から各種の縮尺を経た地方・地域地図までを含む地図情報を記録しておく。そして、書き換え可能領域は、例えば相変化記録膜が形成されており、記録膜の結晶状態の変化により情報がディジタルデータとして記録され、データの書き換えが可能となっている。この場合は、電子スチルカメラ２０で撮影した画像データ及び付加情報を記録する。そして、このパーシャルＲＯＭディスク９０の書き換え可能領域には、さらに、例えば再生専用領域の地図情報に変更や追加が生じた場合に、その変更・追加情報を記録することもできる。
【００６６】
こうして、パーシャルＲＯＭディスクを情報記録媒体９０として用いることで、地図データを、半導体ＲＯＭ（地図データベース５５）として画像再生装置内部に記憶しておく場合に比べ、安価で大容量の地図データ領域を確保することができ、装置の構成も簡易になる。
【００６７】
さらに、地図データが個々のパーシャルＲＯＭディスクに応じて変えられるので、世界各地の観光地毎に観光スポットやショッピングスポットを含む詳細な地図データや画像を予め再生専用領域に収めたパーシャルＲＯＭディスクをガイドブックに代わるソフトとして供給し、あとから、ユーザが実際にその観光地を訪れて撮影した画像を書き換え可能領域に記録することで、個人の電子アルバムを作成するという使い方も可能である。
【００６８】
なお、図６における画像記録再生装置の構成例では、電子スチルカメラ２０の情報記録媒体と画像再生装置９１の情報記録媒体９０とは共通の媒体になっていないが、これは、勿論、前記図５における画像記録再生装置のように両者で共通の情報記録媒体８１として使用する構成とすることができる。
【００６９】
図７は地域毎のパーシャルＲＯＭディスクの構成例を示す図である。
すなわち、例えば日本の伊豆箱根地方の詳細地図データ及び付帯観光情報を再生専用領域に予め記録した伊豆・箱根用ディスク９０ａ、アメリカのカリフォルニア州の詳細地図データ及び付帯観光情報を再生専用領域に予め記録したアメリカ・カリフォルニア用ディスク９０ｂ、フランスのパリの詳細地図データ及び付帯観光情報を再生専用領域に予め記録したフランス・パリ用ディスク９０ｃ等を各地方毎の観光撮影用ディスク（情報記録媒体）９０として供給することにより、例えば前記伊豆・箱根用ディスク９０ａを使用した場合、まず、画像再生装置９１で、その再生専用領域に記録されている伊豆・箱根地方の詳細地図データ及び付帯観光情報を読み出して表示装置４６に表示させることにより、事前に現地の観光情報を把握して旅行計画等を容易に立てることができる。
【００７０】
そして、伊豆・箱根地方を実際に観光する際には、電子スチルカメラ２０に前記伊豆・箱根用ディスク９０ａを装着して撮影を行ない、各撮影した画像データをその位置情報と共に前記伊豆・箱根用ディスク９０ａの書換可能領域に記憶させることにより、伊豆・箱根地方の旅行記アルバムを作成することができる。
【００７１】
この後、前記撮影記録後の伊豆・箱根用ディスク９０ａを画像再生装置９１に装着して撮影した画像を見る際には、例えば図４にて示したように、再生専用領域に記録されている伊豆・箱根地方の詳細地図データを表示装置４６に直ちに表示させて、撮影位置情報に対応するマーク７０を表示させた画像検索画面とすることができ、素早く目的の場所で撮影した画像を検索表示させて見ることができる。
【００７２】
また、撮影した画像を見ながら、画像のタイトルや旅行記で得た情報や感想等を、コントローラ４５あるいはこれに替わるキーボード等の操作により、前記伊豆・箱根用ディスク９０ａの書き換え可能領域に記憶させることにより、旅行記アルバムとしての内容の充実を図ることができる。
【００７３】
したがって、前記第３実施形態の画像記録再生装置によれば、パーシャルＲＯＭディスク（情報記録媒体）９０の再生専用領域に記憶された地図情報を読み出して表示装置４６に表示することで、当該表示された地図上に前記パーシャルＲＯＭディスク９０の書き換え可能領域に記憶された各撮影画像情報毎の位置情報に対応するマーク７０が表示され、このマーク７０をコントローラ４５を操作してカーソル指示することで、対応する画像情報が読み出されて表示されるので、例えばパーシャルＲＯＭディスク９０の再生専用領域に記憶される地図情報を狭い地域（例えば観光地単位）の詳細な地図とし、該地域毎に異なるパーシャルＲＯＭディスク９０ａ，９０ｂ，…を用意すれば、当該パーシャルＲＯＭディスク９０ａ，９０ｂ，…を撮影地域毎に分類したアルバムとすることができ、希望する場所で撮影した画像情報を用意に素早く検索表示できるようになる。
【００７４】
（第４実施形態）
次に、本発明の画像記録再生装置をカーナビゲーション装置に応用した実施の形態について説明する。
【００７５】
図８は本発明の第４実施形態に係わるカーナビゲーション機能を備えた画像記録再生装置の外観構成を示す斜視図である。
この第４実施形態のカーナビゲーション機能を備えた画像記録再生装置は、電子アルバム機能付きカーナビゲーション装置１００を中心として、表示装置１０１、着脱式電子スチルカメラ１０２、ＧＰＳアンテナ１０３、地図データの記録された光ディスク１０４、及びコントローラ１０５により構成されている。
【００７６】
図９は本発明の第４実施形態に係わるカーナビゲーション機能を備えた画像記録再生装置の構成を示すブロック図である。
まず、本構成全体図を、例えば前記図６における第３実施形態の画像記録再生装置と比べてみても分かるように、前記第３実施形態の画像再生装置９１と本第４実施形態のカーナビゲーション装置１００とは、非常に構成が似ており、画像再生装置９１にＧＰＳ装置（１０３，１１０）を内蔵させることで、ハード構成は略同一にでき、さらにシステム全体を制御するプログラムを変更することにより、両者は同一装置で容易に実現可能である。
【００７７】
すなわち、図８，図９に示される第４実施形態のカーナビゲーション機能を備えた画像記録再生装置におけるカーナビゲーション装置１００は、ＧＰＳ受信回路１１０を内蔵しており、ＧＰＳアンテナ１０３を接続することにより、走行時の位置情報（緯度・経度・高度）をリアルタイムで得ることができる。
【００７８】
情報記録媒体１０４としては、上述したパーシャルＲＯＭディスク（図７参照）を使用し、その再生専用領域には予め地図データが記録されている。この地図データはナビゲーションを行なっているときに自車位置を表示する際に使用するだけでなく、上述したような画像再生装置としての画像検索時（図４参照）にも共通して使用することができる。
【００７９】
また、情報記録媒体（パーシャルＲＯＭディスク）１０４の書き換え可能領域には、電子スチルカメラ１０２で撮影された画像データを記録することはもとより、カーナビゲーション用であることを考慮して、新しい道路や高速道路のインターチェンジの追加等、地図情報の変更・追加情報をも書き込むようにする。
【００８０】
電子スチルカメラ１０２には、ＧＰＳの測位結果、すなわち現在の走行位置情報が常時送られており、カーナビゲーション装置１００に接続したまま画像を撮影するときには、その位置情報を撮影画像の付加情報として記録する。
【００８１】
また、カーナビゲーション装置１００から取り外して使用する際には、取り外す直前の測位結果がホールドされてカメラ１０２側に記憶され、再びカーナビゲーション装置１００に接続されるまでに撮影される画像データには、このホールドされた位置情報が付加情報として記録されることになる。
【００８２】
なお、電子スチルカメラ１０２で撮影した画像データは、この図９に示す構成の画像記録再生装置のように、一旦、電子スチルカメラ１０２内部の記録媒体に記録されてから通信手段（５１）を介して本体（１００）側の情報記録媒体１０４に転送される構成でもよいし、前記図５に示す第３実施形態の構成の画像記録再生装置のように、情報記録媒体１０４を、電子スチルカメラ１０２とカーナビゲーション装置１００とで共通して使用する構成としてもよい。
【００８３】
そして、表示装置１０１は、ナビゲーション時の自車位置表示及び電子スチルカメラ１０２で撮影した画像検索・表示の両方に共通して使用される。
したがって、本発明の第４実施形態の画像記録再生装置によれば、測位機能及び地図データベースを備える代表的な民生機器であるカーナビゲーション装置を兼ねさせる構成とすることで、電子スチルカメラ１０２に測位装置を内蔵させる必要がなくなるだけでなく、少ないコストでこの画像記録再生装置を実現できることになる。
【００８４】
この場合、カーナビゲーション装置１００本体としての画像再生装置が備える測位装置（１０３，１１０）によって測定された位置情報を電子スチルカメラ１０２に伝送する機能と、伝送された位置情報を電子スチルカメラ１０２にて記憶保持するメモリとを備える構成とし、電子スチルカメラ１０２をカーナビゲーション装置１００から取り外して撮影する際には、取り外す直前に、前記測位装置（１０３，１１０）によって測定された位置情報を前記電子スチルカメラ１０２のメモリに伝送して記憶ホールドさせ、再び、該電子スチルカメラ１０２をカーナビゲーション装置１００に接続するまでは、前記ホールドした位置情報を撮影位置情報として撮影画像情報と共に記録させる構成とすることで、電子スチルカメラ１０２に測位装置を内蔵させる必要がなく、小型なカメラで容易に撮影操作でき、しかも所望の撮影場所での画像情報をナビゲーション装置１００本体としての画像再生装置の表示装置１０１にて表示される地図上のマークを指定して表示できるようになる。
【００８５】
（第５実施形態）
図１０は本発明の第５実施形態に係わるカーナビゲーション機能を備えた画像記録再生装置の外観構成を示す斜視図である。
【００８６】
この第５実施形態のカーナビゲーション機能を備えた画像記録再生装置は、電子スチルカメラと表示装置を一体化させたものであり、電子アルバム機能付きカーナビゲーション装置１２０、表示装置兼電子スチルカメラ１２１、ＧＰＳアンテナ１０３、光ディスク１０４、コントローラ１２２により構成される。
【００８７】
図１１は本発明の第５実施形態に係わるカーナビゲーション機能を備えた画像記録再生装置の構成を示すブロック図である。
前記図９における第４実施形態の画像記録再生装置との構成の違いは、電子スチルカメラと表示装置を一体化させ、着脱可能としたことである。
【００８８】
したがって、本発明の第５実施形態の画像記録再生装置によれば、システム全体が簡素化されるだけでなく、画像を撮影するときのファインダとして表示装置が利用でき、使い勝手を向上することができる。また、電子スチルカメラ兼表示装置１２１をカーナビゲーション装置１２０本体から取り外して車外で使用した際には、撮影した画像をその場にて表示装置で確認することができる。
【００８９】
【発明の効果】
以上のように、本発明の請求項１に係わる画像記録再生装置によれば、画像記録装置を単体操作して撮影すると、撮影された画像情報にその撮影時の位置情報が対応付けられて情報記憶手段に記憶され、この後、画像再生装置において、地図情報記憶手段に記憶されている地図情報を表示させると、その地図上に前記情報記憶手段に各撮影画像情報毎に記憶されている位置情報に対応するマークが表示され、このマークを指示すると、指示されたマークの位置情報に対応付けられた画像情報が前記情報記憶手段から読み出されて表示されるので、小型な画像記録装置で容易に撮影操作できると共に、その後は画像再生装置により、希望の場所で撮影した画像情報を簡単に検索して表示できるようになる。
しかも、画像再生装置の地図表示手段により、地図情報記憶手段に記憶された地図情報と共に、当該地図上に画像記録装置の情報記憶手段から読み出された位置情報に対応する座標のマークを表示させる際に、複数の近接する位置情報が読み出された場合には、当該近接する位置情報に対応する座標のマークをその位置情報の数に応じた大きさのマークとして表示させるので、そのマークの大きさからそのマーク位置にて撮影した画像情報の量が把握できるようになる。
【００９３】
また、本発明の請求項２に係わる画像記録再生装置によれば、画像記録装置を単体操作して撮影すると、撮影された画像情報にその撮影時の位置情報が対応付けられて可般型記憶媒体の書き換え可能領域に記憶され、この後、画像再生装置に前記可般型記憶媒体を装着してその再生専用領域に記憶されている地図情報を表示させると、その地図上に前記書き換え可能領域に各撮影画像情報毎に記憶されている位置情報に対応するマークが表示され、このマークを指示すると、指示されたマークの位置情報に対応付けられた画像情報が前記書き換え可能領域から読み出されて表示されるので、小型な画像記録装置で容易に撮影操作できると共に、その後は画像再生装置により、希望の場所で撮影した画像情報を簡単に検索して表示でき、しかも、前記可般型記憶媒体の再生専用領域に記憶される地図情報を狭い地域（例えば観光地単位）の詳細な地図とし、該地域毎に異なる可般型記憶媒体を用意すれば、当該可般型記憶媒体を撮影地域毎に分類したアルバムとすることができ、希望する場所で撮影した画像情報を容易に検索表示できるようになる。
しかも、画像再生装置の地図表示手段により、可般型記憶媒体の再生専用領域に記憶された地図情報と共に、当該地図上に前記可般型記憶媒体の書き換え可能領域から読み出された位置情報に対応する座標のマークを表示させる際に、複数の近接する位置情報が読み出された場合には、当該近接する位置情報に対応する座標のマークをその位置情報の数に応じた大きさのマークとして表示させるので、そのマークの大きさからそのマーク位置にて撮影した画像情報の量が把握できるようになる。
【００９４】
よって、本発明の画像記録再生装置、画像再生装置によれば、画像データの撮影・整理・検索を容易にし、使い勝手を格段に向上することが可能になる。
【図面の簡単な説明】
【図１】本発明の第１実施形態に係わる画像記録再生装置の構成を示すブロック図。
【図２】本発明の第１実施形態に係わる画像記録再生装置に備えられるＧＰＳを搭載した電子スチルカメラの構成を示すブロック図。
【図３】本発明の第１実施形態に係わる画像記録再生装置に備えられる電子スチルカメラ及び画像再生装置の外観構成を示す全体斜視図。
【図４】前記画像記録再生装置における位置情報をキーとした画像検索処理の操作表示状態を示す図。
【図５】本発明の第２実施形態に係わる画像記録再生装置の構成を示すブロック図。
【図６】本発明の第３実施形態に係わる画像記録再生装置の構成を示すブロック図。
【図７】地域毎のパーシャルＲＯＭディスクの構成例を示す図。
【図８】本発明の第４実施形態に係わるカーナビゲーション機能を備えた画像記録再生装置の外観構成を示す斜視図。
【図９】本発明の第４実施形態に係わるカーナビゲーション機能を備えた画像記録再生装置の構成を示すブロック図。
【図１０】本発明の第５実施形態に係わるカーナビゲーション機能を備えた画像記録再生装置の外観構成を示す斜視図。
【図１１】本発明の第５実施形態に係わるカーナビゲーション機能を備えた画像記録再生装置の構成を示すブロック図。
【図１２】従来の電子スチルカメラシステムの構成を示すブロック図。
【図１３】特開平５−１１０９７２号に開示された電子スチルカメラ及び画像再生装置の基本構成を示すブロック図。
【図１４】特開平５−２０７４０８号に開示された電子スチルカメラの基本構成を示すブロック図。
【図１５】特開平５−２０７４０８号に開示された電子スチルカメラの表示回路及びその周辺部の構成を示すブロック図。
【符号の説明】
２０  …第１実施形態の電子スチルカメラ、
２１  …システムコントローラ、
２２  …レンズ、
２３  …固体撮像素子、
２４  …信号処理部、
２５  …圧縮処理部、
２６  …データバッファ部、
２７  …ＧＰＳ受信回路、
２８  …ＧＰＳアンテナ、
２９  …記録再生回路、
３０  …情報記録媒体、
３１  …通信インターフェイス、
４２  …通信ケーブル、
４３  …第１実施形態の画像再生装置、
４４  …情報記録媒体（光ディスク）、
４５  …コントローラ、
４６  …表示装置、
５１  …通信インターフェイス、
５３  …コントロール回路、
５５  …地図データベース、
５７  …地図用ＲＡＭ、
５８  …表示制御部、
６０  …変換部、
６１  …システムコントローラ、
６２  …インデックス用ＲＡＭ、
６３  …データバッファ部、
６４  …復号処理部、
６５  …Ｄ／Ａ変換部、
７０  …撮影位置及び撮影量を示すマーク、
７１  …カーソル、
８０  …第２実施形態の画像再生装置、
８１  …可搬型情報記録媒体（光ディスク，半導体メモリカード等）、
８２  …第２実施形態の電子スチルカメラ、
９０  …情報記録媒体（パーシャルＲＯＭディスク）、
９０ａ…伊豆・箱根用パーシャルＲＯＭディスク、
９０ｂ…アメリカ・カリフォルニア用パーシャルＲＯＭディスク、
９０ｃ…フランス・パリ用パーシャルＲＯＭディスク、
９１  …第３実施形態の画像再生装置、
９２  …パーシャルＲＯＭディスク用コントロール回路、
１００  …電子アルバム機能付きカーナビゲーション装置、
１０１  …ナビゲーション兼用表示装置、
１０２  …第３実施形態の電子スチルカメラ、
１０３  …ＧＰＳアンテナ、
１０４  …情報記録媒体（パーシャルＲＯＭディスク）、
１０５  …ナビゲーション兼用コントローラ、
１１０  …ＧＰＳ受信回路、
１１１  …ナビゲーション兼用システムコントローラ。
【図１】
0003742141.tif 000002
【図２】
0003742141.tif 000003
【図３】
0003742141.tif 000004
【図４】
0003742141.tif 000005
【図５】
0003742141.tif 000006
【図６】
0003742141.tif 000007
【図７】
0003742141.tif 000008
【図８】
0003742141.tif 000009
【図９】
0003742141.tif 000010
【図１０】
0003742141.tif 000011
【図１１】
0003742141.tif 000012
【図１２】
0003742141.tif 000013
【図１３】
0003742141.tif 000014
【図１４】
0003742141.tif 000015
【図１５】
0003742141.tif 000016